(57)【要約】【課題】野菜や花弁などの高湿雰囲気を必要とする貯蔵物を収納した場合でも、安価に高湿雰囲気を維持できる農産物低温貯蔵庫を提供することを目的とする。【解決手段】ドレン皿３７に貯蔵室２１を冷却するための冷却器２９からの一定量のドレン水を貯水するための容積を確保し、貯水したドレン水に浸漬するようにヒーター４３を設け、ドレン水をヒーター４３によって加熱、蒸発促進させたことにより、効率よく貯蔵室２１内へ水分を返して高湿雰囲気を維持することができる。【選択図】図３
2005127665.tif 000002
【特許請求の範囲】
【請求項１】
貯蔵室と、前記貯蔵室の温度設定を行う操作器と、断熱体内部に冷却器と冷却器用送風機と冷気吸込口と冷気吹出口を有する冷却室と、圧縮機と放熱器と放熱器用送風機と前記放熱器用送風機の風下側に配置した蒸発皿を有する機械室とを備えた前記貯蔵室の上面に配設された冷却ユニットとからなる農産物低温貯蔵庫において、前記冷却室内で発生するドレン水を一定量保持するドレン皿と前記ドレン皿に貯水したドレン水に浸漬するようにヒーターを設け、前記冷却室内で発生するドレン水を加熱、蒸発促進し、前記冷却器用送風機にて前記貯蔵室内に水分を返し高湿雰囲気を維持することを特徴とする農産物低温貯蔵庫。
【請求項２】
前記冷却室内で発生するドレン水をホットガスバイパス回路を用いて加熱、蒸発促進させることを特徴とする請求項１に記載の農産物低温貯蔵庫。
【請求項３】
前記冷却室内で発生するドレン水に浸漬するように蒸発促進シートを保持したことを特徴とする請求項１または請求項２に記載の農産物低温貯蔵庫。
【請求項４】
前記冷却室内で発生するドレン水が、前記ドレン皿上に一定量以上たまった後ドレン水として前記冷却室外へ排出するよう、ドレン排水経路部に弁を設けたことを特徴とする請求項１から請求項３のいずれか一項に記載の農産物低温貯蔵庫。
【請求項５】
前記冷却室内で発生するドレン水が、前記ドレン皿上に一定量以上たまった後ドレン水として前記冷却室外へ排出するよう、ドレン排水経路部にフロートスイッチを設けたことを特徴とする請求項１から請求項３のいずれか一項に記載の農産物低温貯蔵庫。
【発明の詳細な説明】
【技術分野】
【０００１】
本発明は、野菜、花弁などを収納、貯蔵するのに用いる農産物低温貯蔵庫に関するものである。
【背景技術】
【０００２】
従来の農産物低温貯蔵庫に関するものとしては、例えば特許文献１がある。
【０００３】
以下、図面を参考にしながら上記従来の農産物低温貯蔵庫を説明する。図８は、従来の農産物低温貯蔵庫用の冷却ユニットの内部を示す平面構成図である。図８において、１は冷却ユニットである。冷却ユニット１は断熱体４内部に冷却器５、冷却器用送風機６、冷気吸込口７、冷気吹出口８を有する冷却室２、圧縮機９、放熱器１０、放熱器用送風機１１を有する機械室３から構成される。冷却ユニット１の冷却器５下部にはドレン皿１２が配設され、さらにドレン皿１２には機械室３の蒸発皿１３へドレン水を排水する通水管１４を設けている。
【０００４】
以上のように構成された農産物低温貯蔵庫について、以下その動作について説明する。農産物低温貯蔵庫内部は、冷却ユニット１の冷却器５により冷却された冷気を冷気吹出口８から導入することで冷却される。また、貯蔵室内が所定温度に冷却されると圧縮機９の発停運転を繰り返す。この際、貯蔵室内の空気中の水分が冷却器５の表面で凝縮してドレン水となりドレン皿１２上に滴下する。ここで、一般に、野菜等の保存には高湿雰囲気を維持することが望まれるため、貯蔵室内の湿度を高湿に保持するために圧縮機９が停止中に冷却器用送風機６を運転し、冷却器５および、ドレン皿１２に蓄積された水分を貯蔵室内に返している。
【０００５】
一方、運転時間の経過と共に冷却器５の表面に水分が結露し霜となって徐々に蓄積する。冷却器５に付着した霜が多くなると、適当な時期に除霜操作が実施される。この時も冷却器５の表面に付着していた霜が解けてドレン皿１２上に滴下する。ドレン皿１２上に滴下したドレン水は通水管１４を経て蒸発皿１３に流入する。そして、蒸発皿１３に流入したドレン水は、放熱器１０で暖められた排熱と、冷媒配管を流通する高温冷媒の熱を受けて蒸発する。
【特許文献１】特開２００１−２０８４６１号公報
【発明の開示】
【発明が解決しようとする課題】
【０００６】
しかしながら、上記従来の構成は、野菜等の保存の際、一般に０℃前後にて保存されるものが主体であるため、冷却器用送風機にて冷却室内のドレン水を貯蔵室内へ水分を返す際、冷気吸込口から導入される低温の空気ではドレン水が蒸発しにくく、貯蔵室内を高湿雰囲気に維持することが困難になり、別途加湿器等が必要になるという欠点があった。
【０００７】
本発明は従来の課題を解決するもので、貯蔵室内に野菜や花弁などの高湿雰囲気を必要とする貯蔵物を収納した場合でも、必要な水分をドレン皿に一端保持させ、保持したドレン水を加熱、蒸発促進させることにより、効率よく水分を貯蔵室内に返すことができ、安価に貯蔵室内を高湿雰囲気に維持できる農産物低温貯蔵庫を提供することを目的とする。
【課題を解決するための手段】
【０００８】
本発明の農産物低温貯蔵庫は、一定量のドレン水を冷却室内部に貯水し、貯水されたドレン水を加熱、蒸発促進させた後、冷却器用送風機によって貯蔵室内へ水分を返すものである。これによって、貯蔵室内が０℃前後の低温状態においても安価に高湿雰囲気を維持することができる。
【発明の効果】
【０００９】
貯蔵室内に野菜や花弁などの高湿雰囲気を必要とする貯蔵物を収納した場合でも、安価に貯蔵室内を高湿雰囲気に維持できる。
【００１０】
さらに、０℃前後の低温状態での使用下においても冷却室内の除霜、解氷を確実に行い、ドレン排水を適切にし、ドレン水が貯蔵室内へ溢れ貯蔵室内の収納物が濡れるのを防ぐことができる。
【発明を実施するための最良の形態】
【００１１】
本発明の請求項１に記載の発明は、貯蔵室と、前記貯蔵室の温度設定を行う操作器と、断熱体内部に冷却器と冷却器用送風機と冷気吸込口と冷気吹出口を有する冷却室と、圧縮機と放熱器と放熱器用送風機と前記放熱器用送風機の風下側に配置した蒸発皿を有する機械室とを備えた前記貯蔵室の上面に配設された冷却ユニットとからなる農産物低温貯蔵庫において、前記冷却室内で発生するドレン水を一定量保持するドレン皿と前記ドレン皿に貯水したドレン水に浸漬するようにヒーターを設け、前記冷却室内で発生するドレン水を加熱、蒸発促進し、前記冷却器用送風機にて前記貯蔵室内に水分を返すものであり、貯蔵室内に野菜や花弁などの高湿雰囲気を必要とする貯蔵物を収納した場合でも、安価に貯蔵室内を高湿雰囲気に維持できる。
【００１２】
本発明の請求項２に記載の発明は、請求項１に記載の発明において、前記冷却室内で発生するドレン水をホットガスバイパス回路を用いて加熱、蒸発促進し、前記冷却器用送風機にて前記貯蔵室内に水分を返すものであり、安価に貯蔵室内を高湿雰囲気に維持できる。
【００１３】
本発明の請求項３に記載の発明は、請求項１または請求項２に記載の発明において、前記冷却室内で発生するドレン水に浸漬するように蒸発促進シートを保持したものであり、更に効率よくドレン水の保持と貯蔵室への水分の供給を行い、貯蔵室内を高湿雰囲気に維持できる。
【００１４】
本発明の請求項４に記載の発明は、請求項１から請求項３のいずれか一項に記載の発明において、前記冷却室内で発生するドレン水が、前記ドレン皿上に一定量以上たまった後ドレン水として前記冷却室外へ排出するよう、ドレン排水経路部に弁を設けたものであり、冷却ユニットが低背高となり、小型、軽量化にすることができる。
【００１５】
本発明の請求項５に記載の発明は、請求項１から請求項３のいずれか一項に記載の発明において、前記冷却室内で発生するドレン水が、前記ドレン皿上に一定量以上たまった後ドレン水として前記冷却室外へ排出するよう、ドレン排水経路部にフロートスイッチを設けたものであり、冷却ユニットが低背高となり、小型、軽量化にすることができる。
【００１６】
（実施の形態１）
図１は、本発明の実施の形態１による農産物低温貯蔵庫の斜視図である。図２は、同実施の形態の農産物低温貯蔵庫の冷却ユニットの平面断面図である。図３は、同実施の形態の農産物低温貯蔵庫の冷却ユニットの冷却室部の縦断面図である。
【００１７】
図１、図２において、２０は農産物低温貯蔵庫、２１は貯蔵室、２２は貯蔵室２１の上面に配設する冷却ユニット、２３は冷却ユニット２２の温度設定をおこなう操作器、２４は放熱器と熱交換するための空気吸込用穴、２５は排熱用の空気吹出用穴である。
【００１８】
２６は機械室、２７は冷却室、２８は断熱体、２９は冷却器、３０は冷却器用送風機、３１は冷気吸込口、３２は冷気吹出口、３３は圧縮機、３４は放熱器、３５は放熱器用送風機、３６は貯蔵室２１の扉である。また、３７は冷却器２９のドレン水を受けるドレン皿、３８はドレン水を蒸発する蒸発皿、３９はドレン皿３７に滴下したドレン水を蒸発皿３８へ導く通水管、４３はドレン皿３７に貯水したドレン水に浸漬するように設けられたヒーターである。
【００１９】
以上のように構成された農産物低温貯蔵庫について、以下その動作について説明する。まず、貯蔵室２１は、冷却ユニット２２の冷却器２９により冷却された冷気を冷気吹出口３１から導入することで冷却される。また、貯蔵室２１内が所定温度に冷却されると圧縮機３３の発停運転を繰り返す。この際、貯蔵室２１内の空気中の水分が冷却器２９の表面で凝縮してドレン水となりドレン皿３７上に滴下する。ここで、一般に、野菜等の保存には高湿雰囲気を維持することが望まれるため、貯蔵室内の湿度を保持するために圧縮機３３が停止中に冷却器用送風機３０を運転し、冷却器２９および、ドレン皿３７に蓄積された水分を貯蔵室内に返している。
【００２０】
一方、運転時間の経過と共に冷却器２９の表面に水分が結露し霜となって徐々に蓄積する。冷却器２９に付着した霜が多くなると、適当な時期に除霜操作が実施される。この時も冷却器２９の表面に付着していた霜が解けてドレン皿３７上に滴下する。ドレン皿３７上に滴下したドレン水は通水管３９を経て蒸発皿３８に流入する。そして、蒸発皿３８に流入したドレン水は、放熱器３４で暖められた排熱と、冷媒配管を流通する高温冷媒の熱を受けて蒸発する。
【００２１】
ここで、図３に示すように、本実施の形態では、ドレン皿３７に滴下したドレン水が直接通水管３９を経て蒸発皿３８に流入しないよう、ドレン皿３７から通水管３９に流入する水位レベルより下位に一定量のドレン水を貯水するための容積を確保している。このように、冷却室内に一定量のドレン水を保持することにより、貯蔵室内の水分を冷却室外へ排出するのを極力抑えている。
【００２２】
次に、貯蔵物の保存温度に着眼すると、野菜等は一般に０℃前後での保存が適しているとされるものが主体であるため、冷却器用送風機にてドレン水を貯蔵室内へ水分を返す際、冷気吸込口から導入される低温の空気ではドレン水が蒸発しにくく、湿度が不足気味になる場合がある。そこで、図３に示すように、ドレン皿３７に貯水したドレン水に浸漬するようにヒーター４３を設け、冷却運転停止中にヒーター４３に通電し、ドレン水を加熱、蒸発促進することにより、効率よく貯蔵室内へ水分を返すことができる。また、冷却運転中、冷却室内は０℃以下の低温雰囲気となるため、ドレン皿上に溜まったドレン水が氷結しやすくなる恐れがあるが、ヒーター４３の通電により、ドレン水の氷結も防ぎ、貯蔵室内へのドレン水溢れも防ぐことができる。
【００２３】
図４は、同実施の形態の農産物低温貯蔵庫の冷却ユニットの平面断面図である。
【００２４】
図４に示すように、圧縮機３３から吐出された高温高圧の冷媒ガスを冷却器２９側にバイパスするホットガスバイパス回路４４を設けることによっても、冷却器２９では短時間での霜取り、及びドレン皿上では貯水したドレン水を加熱、蒸発促進することができるため、前記冷却器用送風機にて前記貯蔵室内に水分を返し高湿雰囲気を維持することができる。また、効率よく水分を貯蔵室内へ返すと共に、ドレン皿上に溜まったドレン水が氷結することによる貯蔵室内へのドレン水溢れも防ぐことができる。
【００２５】
図５は、同実施の形態の農産物低温貯蔵庫の冷却ユニットの平面断面図である。
【００２６】
図５に示すように、親水性の高い蒸発促進紙から構成された蒸発促進シート４５を、ドレン皿３７に貯水したドレン水に常時浸漬するようドレン皿３７底面に密着するよう設けることにより、冷却運転中において、前記蒸発促進シート４５には、ドレン皿に滴下したドレン水が浸透していくため貯蔵室内に水分を返しやすくなり、運転中の貯蔵室内の湿度の低下を抑えることができる。また、冷却停止中も同様に水分を貯蔵室内に返すので、貯蔵室内に効率よく水分を返すと共に、ドレン皿上に溜まったドレン水が氷結することによる貯蔵室内へのドレン水溢れも防ぐことができる。
【００２７】
図６は、同実施の形態の農産物低温貯蔵庫の冷却ユニットの縦断面図である。
【００２８】
図６に示すように、冷却室２７内で発生するドレン水が、ドレン皿３７上に一定量以上たまった後ドレン水として前記冷却室外へ排出するよう、ドレン排水経路部に弁４６を設けることにより、ドレン皿３７から通水管３９に流入する水位レベルより下位に一定量のドレン水を貯水するための容積を極力小さくすることができるため、冷却ユニットが低背高となり、小型、軽量化にすることができる。
【００２９】
図７は、同実施の形態の農産物低温貯蔵庫の冷却ユニットの縦断面図である。
【００３０】
図７に示すように、冷却室２７内で発生するドレン水が、ドレン皿３７上に一定量以上たまった後ドレン水として前記冷却室外へ排出するよう、ドレン排水経路部にフロートスイッチ４７を設けることにより、ドレン皿３７から通水管３９に流入する水位レベルより下位に一定量のドレン水を貯水するための容積を極力小さくすることができるため、冷却ユニットが低背高となり、小型、軽量化にすることができる。
【産業上の利用可能性】
【００３１】
以上のように、本発明の農産物低温貯蔵庫は、一定量のドレン水を冷却室内部に貯水し、貯水されたドレン水を加熱、蒸発促進させた後、冷却器用送風機によって貯蔵室内へ水分を返すことができるため、野菜や花弁などの高湿雰囲気を必要とする貯蔵物を収納した場合でも、安価に高湿雰囲気を維持することができる。
【００３２】
さらに、０℃前後の低温状態での使用下においても冷却室内の除霜、解氷を確実に行い、ドレン排水を適切にし、ドレン水が貯蔵室内へ溢れ貯蔵室内の収納物が濡れるのを防ぐことができる。
【図面の簡単な説明】
【００３３】
【図１】本発明の実施の形態１における農産物低温貯蔵庫の斜視図
【図２】同実施の形態の農産物低温貯蔵庫の冷却ユニットの平面断面図
【図３】同実施の形態の農産物低温貯蔵庫の冷却ユニットの縦断面図
【図４】同実施の形態の農産物低温貯蔵庫の冷却ユニットの平面断面図
【図５】同実施の形態の農産物低温貯蔵庫の冷却ユニットの平面断面図
【図６】同実施の形態の農産物低温貯蔵庫の冷却ユニットの縦断面図
【図７】同実施の形態の農産物低温貯蔵庫の冷却ユニットの縦断面図
【図８】従来の農産物低温貯蔵庫の冷却ユニットを示す平面断面図
【符号の説明】
【００３４】
２０    農産物低温貯蔵庫
２１    貯蔵室
２２    冷却ユニット
２３    操作器
２６    機械室
２７    冷却室
２８    断熱体
２９    冷却器
３０    冷却器用送風機
３３    圧縮機
３４    放熱器
３５    放熱器用送風機
３７    ドレン皿
３８    蒸発皿
３９    通水管
４３    ヒーター
４４    ホットガスバイパス回路
４５    蒸発促進シート
４６    弁
４７    フロートスイッチ
【図１】
2005127665.tif 000003
【図２】
2005127665.tif 000004
【図３】
2005127665.tif 000005
【図４】
2005127665.tif 000006
【図５】
2005127665.tif 000007
【図６】
2005127665.tif 000008
【図７】
2005127665.tif 000009
【図８】
2005127665.tif 000010